(57)【特許請求の範囲】
【請求項１】
赤外線を照射するヒーターと、該ヒーターよりの赤外線を反射する反射器と、該反射器を被施術者の頭部における頂部、後部および両側部に沿って前記赤外線を照射するように回転させるモータが取付けられた本体ケースと、該本体ケース側に固定され同心円のリング状電極が形成された１枚の基板と、前記モータの回転軸に固定されモータの回転に伴って回転すると共に前記リング状電極毎に前記回転軸を挟んだ相対向位置に筒部が形成されたブラシ支持板と、該ブラシ支持板の前記筒部に収容されるスプリングと、前記筒部内に収容され前記スプリングのバネ力によって先端の円弧状部が前記リング状電極と摺接するカーボンを焼結して形成した棒状のブラシとより構成し、前記モータを所定のタイミングで回転方向を反転させるようにしたことを特徴とする毛髪処理促進装置の回転給電装置。
【発明の詳細な説明】
【０００１】
【発明の属する技術分野】
本発明は理美容において、洗髪時の乾燥、染色時の促進、頭髪のパーマネントやウエーブ化等に際し、頭髪の全体に対して赤外線を照射するためにヒーターを回転させることによって行うようにした毛髪処理促進装置であって、前記回転するヒーターへの給電を行うための回転給電装置の改良に関する。
【０００２】
【従来の技術】
この種の従来例としては、本出願人が出願した特公平４−６４５号公報に開示されたものがある。この技術は、赤外線を放射するヒーターが反射器に取付けられ、該反射器を被施術者の頭部における頂部、後部、両側部に沿って赤外線を放射するようにモータによって回転させた毛髪処理促進装置があった。
【０００３】
そして、前記ヒーターに通電するための給電装置としては、例えば、図６に示すものがある。この給電装置は、前記反射器を回転するためのモータによって回転するブラシ支持板ａと、該ブラシ支持板ａに中央部が取付けられたアーチ状の可動電極板である板バネｂと、該板バネｂの両端に接着された摺動用金属であるブラシｂ1 と摺接するリング状の固定電極ｃとより構成されている。
【０００４】
なお、ｄはブラシｂに接続されたリード線、ｅは固定電極ｃに接続されたリード線である。また、前記板バネｂと固定電極ｃとは少なくとも２個取付けられている。
【０００５】
このように構成された従来の給電装置は、反射器を回転させるためにモータが回転されると、板バネｂも一緒に回転されてブラシｂ1 が固定電極ｃ上を摺動するので、回転側から固定側に電源が供給されることとなり、従って、ヒーターへの通電が行われるものである。
【０００６】
【発明が解決しようとする課題】
ところで、前記した従来例にあっては、可動電極板としてバネ板ｂを使用しているために、板バネｂを介して電流が流れる時に発熱してバネ定数が変化し、長期使用時に接触不良を起こしたりするといった問題があった。
【０００７】
また、板バネｂを直接的に固定電極ｃと摺接すると磨耗による寿命が短くなることから、板バネｂとは異なる摺動用金属を接着剤で固定する必要があるが、この接着が熱的あるいは機械的変化によって摺動用金属が板バネから取れてしまって使用不可能になったり、さらに、摩擦面が研がれることにより鋭利となって回転方向を反転させた時にバネ板ｂが折損してしまうといった問題もあった。
【０００８】
さらに、回転する面と固定する面とは、完全な平行状態とすることは不可能であることから、回転中に回転面と固定面との間隔が変化することとなる。このような場合、アーチ状のバネ板ｂの撓みは垂直方向とはならず、そのためにバネ板ｂの固定面との接触部分が、該固定面から外れるという問題もあった。
【０００９】
本発明は前記した問題点を解決せんとするもので、その目的とするところは、カーボン等で形成した棒状のブラシをリング状の電極板に摺接させるようにしたので、発熱による接触不良を防止できると共に破損の恐れもなく、また、回転方向を反転することによりブラシの片減りを防止できる毛髪処理促進装置の回転給電装置を提供せんとするにある。
【００１０】
【課題を解決するための手段】
本発明の毛髪処理促進装置の回転給電装置は前記した目的を達成せんとするもので、その手段は、赤外線を照射するヒーターと、該ヒーターよりの赤外線を反射する反射器と、該反射器を被施術者の頭部における頂部、後部および両側部に沿って前記赤外線を照射するように回転させるモータが取付けられた本体ケースと、該本体ケース側に固定され同心円のリング状電極が形成された１枚の基板と、前記モータの回転軸に固定されモータの回転に伴って回転すると共に前記リング状電極毎に前記回転軸を挟んだ相対向位置に筒部が形成されたブラシ支持板と、該ブラシ支持板の前記筒部に収容されるスプリングと、前記筒部内に収容され前記スプリングのバネ力によって先端の円弧状部が前記リング状電極と摺接するカーボンを焼結して形成した棒状のブラシとより構成し、前記モータを所定のタイミングで回転方向を反転させるようにしたことを特徴とする。
【００１２】
【発明の実施の形態】
以下、本発明に係る毛髪処理促進装置の回転給電装置の一実施の形態を図１〜図５と共に説明する。
図１は毛髪処理促進装置の全体を示す断面図であり、１は被施術者の頭の高さに応じて昇降可能な昇降杆にして、上端には本体ケース２が取付けられている。３は該本体ケース２の垂直部内に固定されたモータにして、図示しない減速機が内蔵されている。
【００１３】
４は前記本体ケース２の傾斜部内に固定された固定板にして、該固定板４の一端には前記モータ３が、他端には回転軸５が軸支されている。該回転軸５にはプーリー５ａが固定され、前記モータ３の出力軸に固定されたプーリー３ａとの間にベルト６が巻回されている。
【００１４】
７は前記回転軸５の前記本体ケース２から突出した部分に固定されたブラケットにして、該ブラケット７にはカバー７ａが一体的に形成されている。そして、このカバー７ａの内側には同じくリング状の反射器（図示せず）が、また反射器の内側にセラミック、石英硝子等のリング状細管内にニクロム線等の加熱線を収容した赤外線を放射するヒーター（図示せず）が取付けられている。
【００１５】
なお、前記ブラケット７を回転させる手法としてはモータ３の回転力をベルト６によって伝達したものを示したが、他の手法としては、モータ３とブラケット７とをギアによって連結することによってモータ３の回転力を伝達するようにしてもよい。また、前記反射器およびヒーターは必ずしもリング状のものでなくとも円弧状のものやアーム状のものであってもよい。
【００１６】
８は本体ケース２内に導入された電源を回転する前記ヒーターに供給するための給電装置にして、図２に詳細を示す。図２において、８１は本体ケース２内に固定された基板にして、裏面側にはリング状の固定電極８１ａが同心円状に２条が形成されている。そして、各固定電極８１ａには本体ケース２内に導入された電源よりのリード線８２が接続されている。
【００１７】
８３は前記回転軸５にナット５ｂによって固定される前記ブラケット７の固定時において一緒に固定されたブラシ支持板にして、４ヵ所に金属製のブラシホルダー８４が嵌合固定される筒部８３ａが形成されている。このブラシホルダー８４には前記ヒーターに通電するためのリード線８５が接続されている。
【００１８】
８６はカーボン等を焼結して形成した円柱あるいは角柱状のブラシにして、前記ブラシホルダー８４内に移動可能な大きさに形成され、かつ、ブラシ８６の固定電極８１ａと接触する先端８６ａは、該ブラシ８６の製作時において図４に示す如く円弧状に形成されている。
【００１９】
なお、１つの固定電極８１ａに対して２個以上のブラシ８６を対向させ、例えば、１つのブラシ８６をアースとし、他のブラシ８６をサブヒーター（図示せず）等に使用することも可能である。
【００２０】
また、ブラシ８６には前記リード線８５の先端が焼結時に一体化されている。そして、ブラシホルダー８４内にはブラシ８６の先端を前記固定電極８１ａ側に向かってバネ付勢するためのスプリング８７が挿入されている。
【００２１】
次に、前記した構成に基づいて動作を説明するに、モータ３が回転して回転軸５が回転されると、ヒーターが取付けられているブラケット７と共にブラシ支持板８３が回転される。これにより、ブラシ８６の先端が固定電極８１ａに摺接された状態で回転するので、リード線８２よりの電流はブラシ８６を介してリード線８５に流れ、従って、ヒーターへの通電が行われる。
【００２２】
ブラシ８６の回転方向が図３（ａ）に示す矢印の方向であったとすると、ブラシ８６は左方向に傾き、この回転方向が連続されるとブラシ８６の先端８６ａは片減り状態となる。また、前記したとは反対方向に回転したとすると図３（ｂ）のように右方向にブラシ８６は傾くので、この場合も前記した片減りとは反対の方向に片減りが発生する。
【００２３】
そこで、本発明にあっては、ブラシ８６の製作時に先端８６ａを円弧状に形成すると共に、モータ３の回転方向を所望時間（毛髪処理促進のための全時間の半分の時間）毎に反対方向に回転させることにより、前記片減り状態が解消され図５に示すように、常にブラシ８６の先端８６ａは円弧状を呈することとなり、従って、ブラシ８６の片減りによる接触不良を起こすことがない。
【００２４】
なお、前記した実施の形態にあっては、ブラシ８６側を回転させ、固定電極８１ａが形成された基板８１側を固定した場合について説明したが、基板８１側を回転させ、ブラシ８６側を固定したものであってもよい。
【００２５】
【発明の効果】
本発明は前記したように、反射器によって回転するヒーターへの固定側電源から通電を行う給電装置において、バネ付勢された複数の棒状ブラシと、該各ブラシと個別に摺接する同心円状のリング状電極とによって給電装置を構成したことにより、従来のバネ板による給電装置のようなバネ定数の変化や、リング状電極とのズレや、バネ板の破損による接触不良が発生することがない。
【００２６】
また、前記１つのリング状電極に対して２個以上の棒状ブラシを対向配置することにより、１つのブラシがリング状電極から離れたとしても十分な接触が行われ確実なる給電が行え、また、１つのブラシを他の目的のための電源用としても利用でき、さらに、前記モータを所定のタイミングで回転方向を反転させることにより、棒状ブラシの片減りを防止したので、長期間の使用にも安定した接触によって電源を安定供給でき故障の発生が無い等の効果を有するものである。
【図面の簡単な説明】
【図１】本発明に係る毛髪処理促進装置の断面図である。
【図２】同上の内部に組み込まれた回転給電装置の一部断面図である。
【図３】リング状電極とブラシとの接触状態を示し、（ａ）はブラシが右方向に回転している状態の断面図、（ｂ）は左方向に回転している状態の断面図である。
【図４】製作時のブラシの断面図である。
【図５】使用状態における断面図である。
【図６】従来の回転給電装置の断面図である。
【符号の説明】
２          本体ケース
３          モータ
５          回転軸
７          ブラケット
８          回転給電装置
８１        基板
８１ａ      固定電極
８３        ブラシ支持板
８６        ブラシ
８７        スプリング
【図１】
0003681967.tif 000002
【図２】
0003681967.tif 000003
【図３】
0003681967.tif 000004
【図４】
0003681967.tif 000005
【図５】
0003681967.tif 000006
【図６】
0003681967.tif 000007